(57)【特許請求の範囲】
【請求項１】
絶縁性の合成樹脂によって筒状に形成されたコネクタハウジングと、前記コネクタハウジングの軸線方向一端側における締結作業用の開口部を塞ぐカバーと、前記コネクタハウジング内に埋設され、一端部が前記コネクタハウジングの軸線方向他端側における相手コネクタとの結合用開口部に配置されると共に他端部が電線の一端に接続された複数の板状のバスバーである端子金具と、を備えたコネクタであって、
前記端子金具の他端部が、
前記コネクタハウジングにおける前記結合用開口部の一方の内壁部に埋設され、
前記端子金具の一端部が、
前記結合用開口部の一方の内壁部に埋設されると共に、前記端子金具の他端部から連続して前記軸線方向に沿って軸線方向他端側に向けて延びる第１部分と、
前記第１部分における前記軸線方向他端側の端部から屈曲して前記結合用開口部を横断して前記一方の内壁部に対面する他方の内壁部の内部まで延びる第２部分と、
前記他方の内壁部に埋設されると共に、前記第２部分における前記他方の内壁部の内部の端部から屈曲して前記軸線方向に沿って軸線方向一端側に向けて延びる先端部と、から断面コ字状に構成されることを特徴とするコネクタ。
【請求項２】
請求項１に記載のコネクタであって、
前記コネクタハウジングが、前記一方の内壁部と前記他方の内壁部とを長辺側とする略矩形角筒状に形成され、複数の前記端子金具が、前記コネクタハウジングの長辺に沿って等間隔に配設されていることを特徴とするコネクタ。
【請求項３】
請求項１または請求項２に記載のコネクタであって、
前記コネクタハウジングの外側が、シールドシェルによって覆われることを特徴とするコネクタ。
【発明の詳細な説明】
【技術分野】
【０００１】
本発明は、コネクタに関する。
【背景技術】
【０００２】
例えば電気自動車では、三相交流のモータに、バッテリからの直流電力を交流電力に変換して供給するインバータが接続される。これらモータとインバータを接続するために、モータに電線を介して接続されたシールドコネクタを、インバータのシールドケースに取り付けるコネクタの取付構造が知られている（例えば、特許文献１等参照）。
【０００３】
この種のコネクタの取付構造として、図４乃至図６に示すシールドコネクタ付き電線５０１を用いるものがある。シールドコネクタ付き電線５０１は、図４に示すように、電線５０３の一端に一対の上側コネクタ（コネクタ）５０５が取り付けられ、電線５０３の他端に下側コネクタ５０７が取り付けられる。
【０００４】
上側コネクタ５０５は、図５及び図６に示すように、断面が略楕円形状の筒状の上側ハウジング（コネクタハウジング）５０９と、上側ハウジング５０９の背面側の開口を塞ぐカバー５１１と、上側ハウジング５０９の外周面５１３に装着されるシール部材であるパッキン５１５と、一端が上側ハウジング５０９の内方に配置されて他端が複数の電線５０３の導体にそれぞれ接続される複数のバスバー（端子金具）５１７と、上側ハウジング５０９の外側を覆う上側シールドシェル５１９と、で構成されている。
【０００５】
それぞれのバスバー５１７に接続された電線５０３は、図４に示したように、その外側が一括して編組（金網）５２１によって覆われる。編組５２１は、上側コネクタ５０５の上側シールドシェル５１９と、下側コネクタ５０７の下側ハウジング５２３を覆う下側シールドシェル５２５とに接続される。
【０００６】
バスバー５１７は、図６に示すように、上側ハウジング５０９の内方に配置された一端がコネクタ嵌合方向と直交するようにＬ字状に曲げられた自由端となって立設されており、この自由端には図示しない相手端子と接続するためのボルト５４０が挿通される締結穴５２７が穿設されている。上側ハウジング５０９は、内方にバスバー締結のための空間５２９が設けられている。上側コネクタ５０５は、上側ハウジング５０９の外側に図示しない相手コネクタの嵌合部が外挿されると、シール部５３１を構成するパッキン５１５によって上側ハウジング５０９と相手コネクタの嵌合部との間が水密にシールされる。
【先行技術文献】
【特許文献】
【０００７】
【特許文献１】特開２０１１−１２４０６２号公報
【発明の概要】
【発明が解決しようとする課題】
【０００８】
しかしながら、上述した上側コネクタ５０５の上側ハウジング５０９は、相手端子と接続される複数のバスバー５１７が内方に並列して配置されると共にバスバー締結のための空間５２９を構成する為、比較的大口径で扁平な筒形状に形成されている。
そこで、上側ハウジング５０９は、外側に相手コネクタの嵌合部が嵌合されるときには、パッキン５１５を介して圧迫されることによって、内側に変形する（内倒れする）虞がある。また、上側ハウジング５０９の成形時には、成形樹脂の収縮による内倒れが発生する可能性があり、シール部５３１に悪影響を及ぼす虞がある。
【０００９】
本発明は上記状況に鑑みてなされたもので、その目的は、筒状に形成されたコネクタハウジングの内倒れを抑止することができる良好なコネクタを提供することにある。
【課題を解決するための手段】
【００１０】
本発明に係る上記目的は、下記構成により達成される。
（１）  絶縁性の合成樹脂によって筒状に形成されたコネクタハウジングと、前記コネクタハウジングの軸線方向一端側における締結作業用の開口部を塞ぐカバーと、前記コネクタハウジング内に埋設され、一端部が前記コネクタハウジングの軸線方向他端側における相手コネクタとの結合用開口部に配置されると共に他端部が電線の一端に接続された複数の板状のバスバーである端子金具と、を備えたコネクタであって、
前記端子金具の他端部が、
前記コネクタハウジングにおける前記結合用開口部の一方の内壁部に埋設され、
前記端子金具の一端部が、
前記結合用開口部の一方の内壁部に埋設されると共に、前記端子金具の他端部から連続して前記軸線方向に沿って軸線方向他端側に向けて延びる第１部分と、
前記第１部分における前記軸線方向他端側の端部から屈曲して前記結合用開口部を横断して前記一方の内壁部に対面する他方の内壁部の内部まで延びる第２部分と、
前記他方の内壁部に埋設されると共に、前記第２部分における前記他方の内壁部の内部の端部から屈曲して前記軸線方向に沿って軸線方向一端側に向けて延びる先端部と、から断面コ字状に構成されることを特徴とするコネクタ。
上記（１）の構成のコネクタによれば、コネクタハウジングにおける相手コネクタとの結合用開口部を挟んだ一方の内壁部と他方の内壁部とが端子金具の一端部によって連結固定されるので、コネクタハウジングの内倒れを抑止することができる。また、相手端子と接続される端子金具の一端部が、相手コネクタとの結合用開口部を挟んで一方の内壁部と他方の内壁部とで支持された両端支持状態となるので、相手端子との接続強度を高めることができる。
更には、前記先端部が、前記他方の内壁部内で折り曲げられている。従って、他方の内壁部に埋設される端子金具の先端部が強固に保持される。そこで、コネクタハウジングの内倒れを抑止する際や、相手端子と接続される際の端子金具の一端部における保持効果が向上する。
（２）  上記（１）の構成のコネクタであって、前記コネクタハウジングが、前記一方の内壁部と前記他方の内壁部とを長辺側とする略矩形角筒状に形成され、複数の前記端子金具が、前記コネクタハウジングの長辺に沿って等間隔に配設されていることを特徴とするコネクタ。
上記（２）の構成のコネクタによれば、略矩形角筒状となるコネクタハウジングは、短辺に対して長い距離が支持されない長辺側における一方の内壁部と他方の内壁部とが、双方に渡って連結固定された端子金具の一端部によって支持されるので、短辺と長辺の比（アスペクト比）が大きい扁平なコネクタハウジングであっても、長辺側における一方の内壁部と他方の内壁部の内倒れを抑止できる。
（３）  上記（１）または（２）の構成のコネクタであって、前記コネクタハウジングの外側が、シールドシェルによって覆われることを特徴とするコネクタ。
上記（３）の構成のコネクタによれば、コネクタハウジングの内倒れを抑止した良好なシールドコネクタを構成することができる。
【発明の効果】
【００１１】
本発明に係るコネクタによれば、筒状に形成されたコネクタハウジングの内倒れを抑止することができる良好なコネクタを提供できる。
【００１２】
以上、本発明について簡潔に説明した。さらに、以下に説明される発明を実施するための形態（以下、「実施形態」という。）を添付の図面を参照して通読することにより、本発明の詳細はさらに明確化されるであろう。
【図面の簡単な説明】
【００１３】
【図１】本発明の一実施形態に係るコネクタを備えたシールドコネクタ付き電線の斜視図である。
【図２】図１に示した上側コネクタの拡大正面図である。
【図３】図２のＤ−Ｄ断面図である。
【図４】従来のシールドコネクタ付き電線の斜視図である。
【図５】図４のＡ部拡大正面図である。
【図６】図５のＢ−Ｂ断面図である。
【発明を実施するための形態】
【００１４】
以下、本発明に係る実施形態を図面を参照して説明する。
本実施形態に係るコネクタは、例えばシールドコネクタ付き電線１１に取り付けられるシールドコネクタに好適に採用することができる。なお、本発明のコネクタは、筒状のコネクタハウジング内に端子金具がインサート成形されてなるものであればどの様なコネクタにも適用できる。
【００１５】
本実施形態のシールドコネクタ付き電線１１は、例えば電気自動車において、モータに電線１５を介して接続された上側コネクタ（コネクタ）１７を、インバータのシールドケースに取り付ける場合等に用いられる。
図１に示すように、シールドコネクタ付き電線１１は、電線１５の一端に上側コネクタ１７が取り付けられ、電線１５の他端に下側コネクタ１９が取り付けられる。上側コネクタ１７にはモータ側の相手コネクタ２１（図３参照）が接続され、シールドコネクタである下側コネクタ１９にはインバータが接続される。
【００１６】
本実施形態に係る上側コネクタ１７は、絶縁性の合成樹脂によって筒状に形成された上側ハウジング（コネクタハウジング）２３と、上側ハウジング２３の軸線方向一端側（図３中右側）の開口部３９を塞ぐカバー４１と、上側ハウジング２３内にインサート成形され、一端部６５が上側ハウジング２３の軸線方向他端側（図３中左側）の結合用開口部５９に配置されると共に他端部６１が電線１５の一端に接続された複数のバスバー（端子金具）１３と、上側ハウジング２３の外側を覆う上側シールドシェル（シールドシェル）２５と、を備える。
なお、本実施形態における端子金具は、電線１５の帯板状の導体と一体に形成されたバスバー１３として構成されているが、別体の平板状の端子金具を電線の導体に接続する構成とすることもできる。
【００１７】
上側ハウジング２３の外側は、上側シールドシェル２５によって覆われる。上側シールドシェル２５には、相手コネクタ２１との取付孔２７を有するアース端子２９が一体に設けられている。
下側コネクタ１９は、下側ハウジング３１を有する。下側ハウジング３１の外側は、下側シールドシェル３３によって覆われる。これら上側コネクタ１７と下側コネクタ１９との間を接続する複数の電線１５は、外形が扁平な筒状に形成された導電性金属からなる上側シールドカバー３５及び下側シールドカバー３７によって覆われる。
【００１８】
上側シールドカバー３５の上端は、上側コネクタ１７の上側シールドシェル２５に固着され、下端は自由端とされている。下側シールドカバー３７の下端は、下側コネクタ１９の下側シールドシェル３３に固着され、下側シールドカバー３７の上端は自由端とされている。そして、上側シールドカバー３５の下端である自由端と、下側シールドカバー３７の上端である自由端は、互いに突き合わせられるか、或いは、相互にラップされる。これにより、上下に分割された上側シールドカバー３５及び下側シールドカバー３７は、自由端間のシールド性が確保されている。なお、上側シールドカバー３５と下側シールドカバー３７は、組立性を考慮して、それぞれ側縁同士を互いにラップさせた２つの半筒体の組み合わせにより構成される。
【００１９】
上側ハウジング２３の軸線方向一端側の開口部３９は、軸線方向他端側の結合用開口部５９から挿入された相手コネクタ２１の相手端子（図示せず）とバスバー１３の一端部６５とをボルト７０で締結するための締結作業用の開口である。開口部３９は、締結作業完了後にカバー４１によって塞がれる。上側シールドシェル２５にはこのカバー４１を回避するカバー用穴４３が形成される。更に、カバー用穴４３は、上側シールドシェル２５の背面外側に取り付けられるブラケット４５によって覆われる。
【００２０】
上側ハウジング２３の外周にはフランジ４７が形成され、フランジ４７の相手コネクタ嵌合側の面には環状溝４９が形成される。上側ハウジング２３は、シール部材である環状のパッキン５１が、この環状溝４９に嵌合して装着される。上側ハウジング２３の外周面５３に相手コネクタ２１の嵌合部５５が外挿されると、嵌合部５５の先端がパッキン５１に当接する。上側コネクタ１７は、シール部５７を構成するパッキン５１によって上側ハウジング２３と相手コネクタ２１の嵌合部５５との間が水密にシールされる。
【００２１】
上側ハウジング２３は、軸線方向他端側が相手コネクタ２１との結合用開口部５９となる。この結合用開口部５９には、バスバー１３の一端部６５が配置される。
バスバー１３の一端部６５は、上側ハウジング２３の一方の内壁部（図中、下側の内壁部）６３から導出され、下から上へ結合用開口部５９を横断するとともに、先端部６７が一方の内壁部６３に対面する他方の内壁部６９に埋設される。更に、先端部６７は、他方の内壁部６９内で折り曲げられている。
即ち、バスバー１３は、一端部６５が長手方向に離間して幅方向に延びる一対の平行な線状折り曲げ部７５で断面コ字状に折り曲げ形成され、他端部６１と先端部６７とが一方の内壁部６３と他方の内壁部６９とにインサート成形される。
【００２２】
バスバー１３の一端部６５には、相手コネクタ２１の端子と接続するためボルト７０が挿通される締結穴７１が穿設される。一端部６５の背部には、ボルト７０を締結するための空間７３が設けられている。この空間７３は、カバー４１を取り外すことによって開放される。
【００２３】
図２に示すように、本実施形態の上側ハウジング２３は、一方の内壁部６３と他方の内壁部６９とを長辺側とする略矩形角筒状に形成されている。そして、上側ハウジング２３の内方には、インサート成形された複数（本実施形態においては、６本）のバスバー１３の一端部６５が略矩形角筒状の長辺７７に沿って等間隔に配設されている。
【００２４】
次に、上記構成を有する上側コネクタ１７の作用を説明する。
上側コネクタ１７は、合成樹脂によって成形される上側ハウジング２３の一方の内壁部６３にバスバー１３の他端部６１が埋設されている。この一方の内壁部６３から導出された他端部６１に連続する一端部６５が、結合用開口部５９を横断する。さらに、この一端部６５に連続する先端部６７が、一方の内壁部６３に対面する他方の内壁部６９の内部に埋設されている。
【００２５】
即ち、本実施形態の上側コネクタ１７によれば、略矩形角筒状に形成された上側ハウジング２３の結合用開口部５９を挟んだ一方の内壁部６３と他方の内壁部６９とが、インサート成形されたバスバー１３の一端部６５によって連結固定される。そこで、上側ハウジング２３は、相手コネクタ２１の嵌合部５５が嵌合するときの内倒れや、ハウジング成形時の成形樹脂の収縮による内倒れが抑止される。また、相手コネクタ２１の相手端子と接続されるバスバー１３の一端部６５が、結合用開口部５９を挟んで一方の内壁部６３と他方の内壁部６９とで支持された両端支持状態となるので、片端支持状態の従来のバスバー５１７（図６参照）と比べて、相手端子との接続強度を高めることができる。
【００２６】
また、バスバー１３の一端部６５における先端部６７が、他方の内壁部６９内で折り曲げられているので、他方の内壁部６９に埋設されるバスバー１３の先端部６７が強固に保持される。そこで、上側ハウジング２３の内倒れを抑止する際や、相手端子と接続される際のバスバー１３の一端部６５における保持効果が向上する。
【００２７】
更に、本実施形態の上側コネクタ１７によれば、略矩形角筒状となる上側ハウジング２３は、短辺に対して長い距離が支持されない長辺側における一方の内壁部６３と他方の内壁部６９とが、双方に渡って連結固定されたバスバー１３の一端部６５によって支持されている。そこで、上側ハウジング２３は、短辺と長辺の比（アスペクト比）が大きい扁平なコネクタハウジングであるが、長辺側における一方の内壁部６３と他方の内壁部６９の内倒れが確実に抑止される。
従って、本実施形態に係る上側コネクタ１７によれば、略矩形角筒状に形成された上側ハウジング２３の内倒れを抑止することができる
【００２８】
なお、本発明のコネクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００２９】
１１…シールドコネクタ付き電線
１３…バスバー（端子金具）
１５…電線
１７…上側コネクタ（コネクタ）
２１…相手コネクタ
２３…上側ハウジング（コネクタハウジング）
２５…上側シールドシェル（シールドシェル）
３９…開口部
４１…カバー
５１…パッキン（シール部材）
５３…外周面
５５…嵌合部
５９…結合用開口部
６１…他端部
６３…一方の内壁部
６５…一端部
６７…先端部
６９…他方の内壁部
７５…線状折り曲げ部
７７…長辺
【図１】
0005952559.tif 000002
【図２】
0005952559.tif 000003
【図３】
0005952559.tif 000004
【図４】
0005952559.tif 000005
【図５】
0005952559.tif 000006
【図６】
0005952559.tif 000007